(57)【要約】 【課題】  低コスト化を図る。【解決手段】  ランプボディ２０には、複数のＬＥＤ１０と、各ＬＥＤ１０のリード端子１３に装着される接続端子３０と、各ＬＥＤ１０に対して電気的に接続可能なバスバー４０と、ＬＥＤ１０から出射される光を反射するための反射部材５０と、光を通すレンズ６０とが収容可能とされる。接続端子３０は、ＬＥＤ１０に装着された状態でバスバー４０に対して保持可能とされる。バスバー４０は、ＬＥＤ１０及び接続端子３０を取り付けた状態で反射部材５０に固定可能とされる。反射部材５０は、ランプボディ２０に対して固定されるようになっている。【選択図】  図１
2006260835.tif 000002
【特許請求の範囲】
【請求項１】
複数のランプと、各ランプが収容されるランプボディとを備えたものであって、
前記各ランプのリード端子に対して電気的に接続されるバスバーを備え、このバスバーは、前記各ランプを保持可能とされるとともに、前記ランプボディに対して固定されるようになっていることを特徴とする車両用灯具。
【請求項２】
前記バスバーの表側には、前記各ランプから出射される光を通すための孔部を有するとともに、その光を反射可能な反射部材が設けられており、
前記各ランプは、前記バスバーに対して裏側から着脱可能とされていることを特徴とする請求項１記載の車両用灯具。
【請求項３】
前記各ランプは、前記バスバーに対して表裏どちらからでも着脱可能とされていることを特徴とする請求項１または請求項２記載の車両用灯具。
【請求項４】
前記バスバーの表側には、前記各ランプから出射される光を通すための孔部を有するとともに、その光を反射可能な反射部材が設けられており、
前記反射部材には、前記バスバーが取付可能とされ、前記ランプボディには、前記バスバーを取り付けた前記反射部材が組み付けられるようになっていることを特徴とする請求項１ないし請求項３のいずれかに記載の車両用灯具。
【請求項５】
前記各ランプには、前記リード端子に接続される接続端子が装着可能とされ、この接続端子が前記バスバーに対して保持可能とされていることを特徴とする請求項１ないし請求項４のいずれかに記載の車両用灯具。
【請求項６】
前記接続端子には、前記バスバーに対して保持可能とされる保持部が設けられ、この保持部が前記接続端子における両端位置に一対設けられていることを特徴とする請求項５記載の車両用灯具。
【請求項７】
前記各ランプのリード端子に装着される接続端子と、ランプ及び接続端子が装着可能とされるとともに、前記バスバーに対して組付可能なソケットとを備えていることを特徴とする請求項１ないし請求項６のいずれかに記載の車両用灯具。
【発明の詳細な説明】
【技術分野】
【０００１】
本発明は、車両用灯具に関する。
【背景技術】
【０００２】
従来、車両用灯具の一例として下記特許文献１に記載されたものが知られている。このものは、複数個のＬＥＤ（発光ダイオード）と、各ＬＥＤを個別に保持可能なホルダと、各ホルダが組み付けられるベースと、ベース上に配索されるとともに各ＬＥＤのリード端子に対して電気的に接続される電線と、ベースや反射部材やレンズが固定されるランプボディとから構成されている。
【特許文献１】特開２０００−２４３１１０公報
【発明の開示】
【発明が解決しようとする課題】
【０００３】
上記したものでは、ＬＥＤへの給電のための電線とは別途に、ＬＥＤを所望の位置に取り付けるためのホルダやベースといった部材が必要となっていたため、部品点数が多く、それに伴って組付工数が増加するなど、コスト高を招いていた。
本発明は上記のような事情に基づいて完成されたものであって、低コスト化を図ることを目的とする。
【課題を解決するための手段】
【０００４】
上記の目的を達成するための手段として、請求項１の発明は、複数のランプと、各ランプが収容されるランプボディとを備えたものであって、前記各ランプのリード端子に対して電気的に接続されるバスバーを備え、このバスバーは、前記各ランプを保持可能とされるとともに、前記ランプボディに対して固定されるようになっている構成としたところに特徴を有する。
【０００５】
請求項２の発明は、請求項１に記載のものにおいて、前記バスバーの表側には、前記各ランプから出射される光を通すための孔部を有するとともに、その光を反射可能な反射部材が設けられており、前記各ランプは、前記バスバーに対して裏側から着脱可能とされているところに特徴を有する。
請求項３の発明は、請求項１または請求項２に記載のものにおいて、前記各ランプは、前記バスバーに対して表裏どちらからでも着脱可能とされているところに特徴を有する。
【０００６】
請求項４の発明は、請求項１ないし請求項３のいずれかに記載のものにおいて、前記バスバーの表側には、前記各ランプから出射される光を通すための孔部を有するとともに、その光を反射可能な反射部材が設けられており、前記反射部材には、前記バスバーが取付可能とされ、前記ランプボディには、前記バスバーを取り付けた前記反射部材が組み付けられるようになっているところに特徴を有する。
請求項５の発明は、請求項１ないし請求項４のいずれかに記載のものにおいて、前記各ランプには、前記リード端子に接続される接続端子が装着可能とされ、この接続端子が前記バスバーに対して保持可能とされているところに特徴を有する。
【０００７】
請求項６の発明は、請求項５に記載のものにおいて、前記接続端子には、前記バスバーに対して保持可能とされる保持部が設けられ、この保持部が前記接続端子における両端位置に一対設けられているところに特徴を有する。
請求項７の発明は、請求項１ないし請求項６のいずれかに記載のものにおいて、前記各ランプのリード端子に装着される接続端子と、ランプ及び接続端子が装着可能とされるとともに、前記バスバーに対して組付可能なソケットとを備えているところに特徴を有する。
【発明の効果】
【０００８】
＜請求項１の発明＞
電気的な接続を図るためのバスバーに各ランプを保持させ、そのバスバーをランプボディに固定するようにしたから、従来のように電気的な接続を図るための電線とは別途にベースなどが必要なものと比較すると、部品点数を削減することができる。これにより、低コスト化を図ることができる。
【０００９】
＜請求項２の発明＞
反射部材とは反対側からランプの着脱作業を行うことができるので、着脱作業を行うにあたって反射部材を取り外す必要がない。従って、作業性を良好なものとすることができる。
＜請求項３の発明＞
バスバーに対して表裏どちらからでもランプの着脱作業を行うことができるので、作業の多様化などを図ることができる。
【００１０】
＜請求項４の発明＞
ランプボディに対してバスバーと反射部材とを一括して組み付けることができるので、作業性が良好なものとなる。
＜請求項５の発明＞
接続端子を介してランプがバスバーに取り付けられるから、仮にランプをバスバーに対して直接に取り付ける場合と比較すると、取り付け時などにリード端子に無理な力が作用し難く、もってランプが損傷を受け難くなっている。
【００１１】
＜請求項６の発明＞
バスバーに対して接続端子及びランプをしっかりと保持させることができ、耐振動性能を向上させることができる。
＜請求項７の発明＞
ソケットによりランプ及び接続端子をバスバーに対して一括して組み付けることができるので、作業性が良好なものとなる。特にランプが小型のものでは有効である。
【発明を実施するための最良の形態】
【００１２】
＜実施形態１＞
本発明の実施形態１を図１ないし図７によって説明する。この実施形態１では、例えばテールランプなどの車両用灯具１であって、ランプとしてＬＥＤ１０（発光ダイオード）を用いたものを示す。なお、以下では、ＬＥＤ１０による照射側を前側（表側）、その反対側を後側（裏側）とし、また上下方向の記載については図１などを基準とする。
【００１３】
この車両用灯具１は、図１に示すように、複数個（図１では９個）のＬＥＤ１０と、ＬＥＤ１０などを収容可能なランプボディ２０と、各ＬＥＤ１０に対して一対ずつ装着される接続端子３０と、各ＬＥＤ１０に対して電気的に接続可能なバスバー４０と、ＬＥＤ１０から出射される光を反射するための反射部材５０と、ＬＥＤ１０や反射板からの光を通すレンズ６０とから構成されている。ＬＥＤ１０は、上下方向に３個ずつ、横方向に３個ずつ、計９個が互いに三次元方向についてずれた位置に配されている。詳しくは、ＬＥＤ１０は、図示右下のものが最も前側に配されており、そこから左側や上側に行く度に一段ずつ後側に引っ込むように配されていて、左上のものが最も後側に配される階段状の配置となっている。なお詳細は後述するが、各ＬＥＤ１０は、接続端子３０を介してバスバー４０に対して保持可能とされている。
【００１４】
ランプボディ２０は、全体が前後に開口した枠型に形成されるとともに、その開口部分の前側からＬＥＤ１０及び接続端子３０を保持したバスバー４０と、反射部材５０と、レンズ６０とが収容されるようになっている。ランプボディ２０の前縁両側部は、表側に膨らむよう円弧状に湾曲した形状に形成されている。このランプボディ２０に対して、反射部材５０とレンズ６０とがそれぞれ図示しない固定手段によって組み付け状態に固定されるようになっている。
【００１５】
反射部材５０は、全体がランプボディ２０の前縁の形状に沿って表側に膨らんだ曲面を有する形状とされる。反射部材５０には、裏側（バスバー４０側）へ引っ込んだ略半球状の反射部５１が各ＬＥＤ１０の配置に対応した位置に９個、互いに隣接した位置に形成されており、その底部には、ＬＥＤ１０から出射された光を通すための孔部５２がそれぞれ貫通形成されている。この孔部５２には、ＬＥＤ１０の発光部１２の一部が挿通可能とされ、発光部１２は反射部５１内に突き出した状態で配される。この発光部１２から出射された光は、反射部５１の表面にて反射されてレンズ６０側へ集光されるようになっている。この反射部材５０における反射部５１群の上側と下側とには、バスバー４０を所定の間隔を空けた位置にて固定するためのねじ（図示せず）が締め付け可能とされるねじ受け部５３が複数ずつ横方向に並んで設けられている。各ねじ受け部５３は、反射部材５０における裏面から裏側（バスバー４０側）へ突出する柱状に形成され、その先端部にはねじを締め付けるためのねじ締め付け孔５３ａが形成されている。
【００１６】
レンズ６０は、反射部材５０と同様に全体がランプボディ２０の前縁の形状に沿って表側に膨らんだ曲面を有する形状とされる。レンズ６０は、反射部材５０の表側に配され、反射部材５０と共にランプボディ２０の開口部分を塞ぐようにして取り付けられる。
【００１７】
ＬＥＤ１０は、図４に示すように、扁平なブロック状をなすベース部１１と、ベース部１１の表面側に設けられた発光部１２と、ベース部１１の裏面側から裏側へ突出した後、両側方へ向けて屈曲された一対のリード端子１３とから構成される。両リード端子１３のうちいずれか一方のリード端子１３が負極側、他方のリード端子１３が正極側とされる。
【００１８】
接続端子３０は、ＬＥＤ１０を挟んだ両側方から各リード端子１３に対して装着されるようになっている。接続端子３０は、平板状をなす端子本体３１と、端子本体３１における上下両縁部に設けられるとともにリード端子１３に対して接続可能な一対の接触部３２と、端子本体３１の外側（ＬＥＤ１０側とは反対側）の側縁部に設けられるとともにバスバー４０に対して保持可能とされる保持部３３とから構成されている。端子本体３１は、リード端子１３の板面とほぼ平行に配される。
【００１９】
両接触部３２は、端子本体３１の上下両縁部（リード端子１３の挿入方向に沿った縁部）から立ち上がった後、互いに接近するよう内向きに折り返されるとともに、その先端部が端子本体３１の板面に対して所定の隙間を空けた状態で対向して配される。両接触部３２は、共に断面略Ｕ字型に形成され、その先端部と端子本体３１の板面との間に側方からリード端子１３が挿入可能とされており、挿入に伴って両接触部３２がリード端子１３に対して弾性接触可能とされる。そして、接続端子３０は、接触部３２がＬＥＤ１０のリード端子１３側（バスバー４０の裏側）を向いた姿勢（図４）と、接触部３２が発光部１２側（バスバー４０の表側）を向いた姿勢（図５）とのどちらの姿勢であってもＬＥＤ１０に装着可能とされている。
【００２０】
保持部３３は、端子本体３１から接触片とは反対側へ突出する片持ち状に形成されており、端子本体３１の側縁端部から立ち上がる根元部分３３ａと、根元部分３３ａから端子本体３１の側縁（リード端子１３の挿入方向と略直交する方向）に沿って延出するアーム部３３ｂと、アーム部３３ｂの先端から端子本体３１側へ突出する係止部３３ｃとから構成されている。アーム部３３ｂと端子本体３１との間隔は、バスバー４０の板厚とほぼ同じかそれよりも僅かに大きくなる設定とされる。このアーム部３３ｂと端子本体３１との間でバスバー４０を挟むとともに、係止部３３ｃがバスバー４０の係止孔４５の孔縁に対して係止することで、接続端子３０がバスバー４０に対して装着状態に保持可能とされる。
【００２１】
バスバー４０は、導電性を有する金属板材をプレス成形してなり、図２及び図３に示すように、横方向に４本並んだ状態で反射部材５０に対して固定されるようになっている。これら４本のバスバー４０は、図示しない電源の正極側に接続されたものと負極側に接続されたものとが交互に並んでおり、隣り合う２本のバスバー４０にＬＥＤ１０の両リード端子１３に装着した接続端子３０がそれぞれ接続されることで、各ＬＥＤ１０への給電が可能とされる。
【００２２】
各バスバー４０は、接続端子３０を介してＬＥＤ１０が装着可能とされるＬＥＤ被着部４１を複数、段差部４２により連結した構成とされ、全体が階段状に形成されている。バスバー４０における各ＬＥＤ被着部４１は、段差部４２により下側から上側に行く毎に図３に示す左側及び後側へ少しずつずれた配置とされる。各バスバー４０の個別の形状を説明すると、図３に示す左右両端に配される両バスバー４０は、ＬＥＤ被着部４１を上下に３つ繋いだ構成とされるのに対し、中央寄りの両バスバー４０は、上下に３つのＬＥＤ被着部４１を繋いだものを左右に２列並べるとともに、最も下側の両ＬＥＤ被着部４１同士を段差部４２により連結した構成とされている。これらのバスバー４０群は、隣り合うバスバー４０間に所定の間隔を保った状態（互いにほぼ平行で非接触・非導通の状態）で、且つ上下に並んだ３つの各ＬＥＤ被着部４１の高さ位置や前後位置を互いに合わせた状態で反射部材５０に対して固定される。
【００２３】
続いて、ＬＥＤ被着部４１の詳しい構造を説明する。ＬＥＤ被着部４１のうち内側の縁部には、図４に示すように、裏側からＬＥＤ１０の発光部１２やベース部１１を通せるよう逃がし部４３が切り欠いて形成されている。ＬＥＤ被着部４１のほぼ中央位置には、接続端子３０の保持部３３を挿通可能な保持溝部４４と、係止部３３ｃが係止可能な係止孔４５とが上下に並んで形成されている。保持溝部４４は、上下方向に沿って細長い形状とされ、上側の幅広部４４ａと下側の幅狭部４４ｂとを繋いだ構成とされる。幅広部４４ａの幅寸法は、保持部３３よりも十分大きく設定されるのに対し、幅狭部４４ｂの幅寸法は、保持部３３とほぼ同じかそれより僅かに大きく設定されている。また幅広部４４ａの長さ寸法は、アーム部３３ｂとほぼ同じ大きさで、幅狭部４４ｂの長さ寸法は、根元部分３３ａとほぼ同じ大きさとされる。係止孔４５には、係止部３３ｃが進入可能とされるとともに孔縁に対して係止部３３ｃが係止されることで、接続端子３０をバスバー４０に対して保持可能とされる。
【００２４】
これら保持溝部４４及び係止孔４５は、共にバスバー４０を貫通する形態とされているので、接続端子３０の保持部３３及び係止部３３ｃが表裏いずれからでも進入可能とされる。これによりバスバー４０に対して接続端子３０及びＬＥＤ１０を表裏どちらからでも取り付けることが可能とされている。
【００２５】
またバスバー４０における上下の端部には、図２及び図３に示すように、ねじを挿通可能なねじ挿通孔４６ａを備えたねじ止め部４６が設けられている。詳しくは、図示左右両端のバスバー４０には、上下に１つずつねじ止め部４６が設けられるのに対し、中央寄りの両バスバー４０には、上側（段差部４２による横方向の連結部位とは反対側）に２つずつ、下側に１つずつのねじ止め部４６が設けられている。
【００２６】
本実施形態は以上のような構造であり、続いてその組み付け手順について説明する。組み付け手順は、大まかには、まず各ＬＥＤ１０に接続端子３０を装着したものををバスバー４０に保持させた後、そのバスバー４０を反射部材５０に対して固定し、その後反射部材５０、レンズ６０の順でランプボディ２０に組み付けるようにする。なお以下では先にＬＥＤ１０及び接続端子３０をバスバー４０の裏側から装着する場合を説明する。
【００２７】
ＬＥＤ１０に接続端子３０を装着するにあたっては、図４（Ａ）に示すように、接続端子３０の姿勢について保持部３３が表側に、接触部３２が裏側に向くようにする。その状態で両接触部３２と端子本体３１との間に側方からリード端子１３を挿入する。すると、図４（Ｂ）に示すように、両接触部３２が弾性変形するとともにその先端部と端子本体３１の板面との間でリード端子１３が挟持される。両接続端子３０をそれぞれ両リード端子１３に装着してＬＥＤ１０及び接続端子３０を一体化したら、それをバスバー４０に取り付ける作業を行う。
【００２８】
横方向に隣り合うバスバー４０を所定の間隔を保った状態で、且つ対応するＬＥＤ被着部４１の前後位置及び上下位置を合わせた状態で、各ＬＥＤ１０及び接続端子３０を裏側から取り付ける。ＬＥＤ１０の発光部１２及びベース部１１を両逃がし部４３を通してバスバー４０の表側に突出させるとともに、両接続端子３０の保持部３３をそれぞれ両保持溝部４４の幅広部４４ａ内に進入させる。そして、保持部３３のうちアーム部３３ｂ全体がバスバー４０の表側に突出したところで、ＬＥＤ１０及び接続端子３０を下方へスライドさせる。すると、保持部３３の根元部分３３ａが保持溝部４４の幅狭部４４ｂ内に進入するとともに、アーム部３３ｂと端子本体３１との間でバスバー４０が挟まれる。ＬＥＤ１０及び接続端子３０が正規位置に達すると、図４（Ｃ）に示すように、係止部３３ｃが係止孔４５内に表側から進入するとともにその孔縁に係止する。これにより、ＬＥＤ１０及び接続端子３０がバスバー４０に対して前後方向、横方向及び上下方向について位置ずれすることなく保持される。
【００２９】
全てのＬＥＤ１０及び接続端子３０をバスバー４０に保持させたら、そのバスバー４０群を反射部材５０に対して取り付ける作業を行う。図６に示すように、反射部材５０の各ねじ受け部５３と、その裏側に配した各バスバー４０の各ねじ止め部４６とを位置合わせするとともに、それぞれねじを締め付けることで、反射部材５０に対してバスバー４０群を固定する。この状態では、各ＬＥＤ１０の発光部１２が各反射部５１の孔部５２内に進入してその先端部が反射部５１の表側に突出している。その後、ＬＥＤ１０、接続端子３０及びバスバー４０を一体に保持した反射部材５０をランプボディ２０の開口部分に表側から取り付けて固定する。それから、図７に示すように、ランプボディ２０の開口部分にレンズ６０を取り付けて固定する。
なお先にバスバー４０群を反射部材５０に対して取り付けてから、バスバー４０に対してＬＥＤ１０及び接続端子３０を組み付けるようにしてもよい。
【００３０】
ところで、本実施形態では、ＬＥＤ１０及び接続端子３０をバスバー４０に装着するにあたっては表裏いずれからでも可能とされており、上記とは逆に表側から装着する場合は以下のようである。すなわち、図５（Ａ）に示すように、接続端子３０の姿勢について保持部３３が裏側に、接触部３２が表側に向くようにする。その状態で両接触部３２と端子本体３１との間に側方からリード端子１３を挿入すると、図５（Ｂ）に示すように、両接触部３２が弾性変形するとともにその先端部と端子本体３１の板面との間でリード端子１３が挟持される。
【００３１】
その後、バスバー４０の表側から接続端子３０の両保持部３３を両保持溝部４４内に進入させ、アーム部３３ｂがバスバー４０の裏側に突出したところで、ＬＥＤ１０及び接続端子３０を下方へ向けてスライドさせる。すると、図５（Ｃ）に示すように、根元部分３３ａが幅狭部４４ｂ内に嵌まるとともに、アーム部３３ｂと端子本体３１との間でバスバー４０が挟まれ、さらには係止部３３ｃが裏側から係止孔４５内に進入してその孔縁に係止される。このようにして各ＬＥＤ１０及び接続端子３０をバスバー４０に保持させたら、上記と同様にしてバスバー４０、反射部材５０及びレンズ６０をランプボディ２０に組み付ける。
【００３２】
以上説明したように本実施形態によれば、電気的な接続を図るためのバスバー４０に各ＬＥＤ１０を保持させ、そのバスバー４０をランプボディ２０に固定するようにしたから、従来のように電気的な接続を図るための電線とは別途にベースなどの部材が必要なものと比較すると、部品点数を削減することができ、これにより低コスト化を図ることができ、また全体の薄型化を図ることが可能となる。またバスバー４０によりＬＥＤ１０を保持することにより、ＬＥＤ１０から発せられる熱を良好に拡散させることができる。
【００３３】
また各ＬＥＤ１０がバスバー４０に対して裏側、つまり反射部材５０とは反対側から着脱可能とされているから、着脱作業を行うにあたって反射部材５０を取り外す必要がなく、作業性を良好なものとすることができる。
【００３４】
また各ＬＥＤ１０がバスバー４０に対して表裏どちらからでも着脱可能とされているから、作業の多様化を図ることができる。
【００３５】
また反射部材５０にバスバー４０を取り付け、その反射部材５０をランプボディ２０に対して組み付けるようにしたから、バスバー４０と反射部材５０とをランプボディ２０に一括して組み付けることができ、作業性が良好なものとなる。
【００３６】
またＬＥＤ１０は、接続端子３０を介してバスバー４０に取り付けられるから、仮にＬＥＤをバスバーに対して直接に取り付ける場合と比較すると、取り付け時などにリード端子１３に無理な力が作用し難く、もってＬＥＤ１０が損傷を受け難くなっている。
【００３７】
＜実施形態２＞
本発明の実施形態２を図８によって説明する。この実施形態２では、接続端子３０Ａに保持部３３Ａ，３４を一対設けるようにしたものを示す。なおこの実施形態２では、上記した実施形態１と同様の構造、作用及び効果について重複する説明は省略する。
【００３８】
接続端子３０Ａのうち端子本体３１Ａにおける両側縁部には、図８（Ａ）に示すように、第１保持部３３Ａと第２保持部３４とがそれぞれ設けられている。なお、端子本体３１Ａの外側（ＬＥＤ１０と反対側）の側縁部に設けられた第１保持部３３Ａに関しては、実施形態１に記載の保持部３３と同様の構造であるため、その説明は割愛する。
【００３９】
第２保持部３４は、端子本体３１Ａの内側（ＬＥＤ１０側）の側縁部から第１保持部３３Ａと同じ側（接触部３２Ａとは反対側）に突出して形成されている。第２保持部３４は、全体として断面Ｊ字型（鉤型）に形成されるとともに、その先端部３４ｂが端子本体３１Ａの板面に対して所定の間隔を空けた位置で対向して配されている。これに対応して、バスバー４０ＡのＬＥＤ被着部４１Ａにおける逃がし部４３Ａの縁部には、ＬＥＤ１０及び接続端子３０Ａの装着時に第２保持部３４を通すための切欠部４７が形成されている。
【００４０】
図８（Ｂ）に示すように、ＬＥＤ１０の両リード端子１３にそれぞれ接続端子３０Ａを装着したら、それをバスバー４０Ａに対して保持させる作業を行う。バスバー４０Ａの裏側から両逃がし部４３ＡにＬＥＤ１０の発光部１２及びベース部１１を通すとともに、接続端子３０Ａの第１保持部３３Ａを保持溝部４４Ａ内に、第２保持部３４を切欠部４７内に進入させる。そして、第１保持部３３Ａのアーム部３３Ａｂと第２保持部３４の先端部３４ｂとがそれぞれバスバー４０Ａの表側に突出したところで、ＬＥＤ１０及び接続端子３０Ａを下方へスライドさせる。すると、図８（Ｃ）に示すように、バスバー４０Ａが第１保持部３３Ａのアーム部３３Ａｂと端子本体３１Ａとの間で挟まれるとともに、第２保持部３４の先端部３４ｂと端子本体３１Ａとの間で挟まれる。これにより、接続端子３０Ａがバスバー４０Ａに対して保持される。またこのとき第２保持部３４の根元部分３４ａは、逃がし部４３Ａに逃がされている。
なお、保持溝部４４Ａ及び切欠部４７は、共にバスバー４０Ａを貫通する形態とされているので、ＬＥＤ１０及び接続端子３０Ａをバスバー４０Ａに対して表裏どちらからでも着脱可能とされている。
【００４１】
このように本実施形態によれば、接続端子３０Ａの両端位置に設けた第１保持部３３Ａ及び第２保持部３４がバスバー４０Ａに対して保持されるようになっているので、振動などが作用した場合でもＬＥＤ１０及び接続端子３０Ａがバスバー４０Ａに対してがたつき難くなり、もって耐振動性能を向上させることができる。
【００４２】
＜実施形態３＞
本発明の実施形態３を図９によって説明する。この実施形態３では、ＬＥＤ１０及び接続端子３０Ｂを装着可能なソケット７０を備えたものを示す。なおこの実施形態３では、上記した実施形態１，２と同様の構造、作用及び効果について重複する説明は省略する。
【００４３】
接続端子３０Ｂのうち端子本体３１Ｂの外側の側縁からは、図９（Ａ）に示すように、端子本体３１Ｂよりも幅広に形成された側板部３５が設けられている。側板部３５は、端子本体３１Ｂから側方へ延出した後、接触部３２Ｂと同方向へ突出するようほぼ直角に屈曲されている。一方、端子本体３１Ｂの内側の側縁からは、上記した実施形態２と同様の断面鉤型をなす第２保持部３４Ｂが設けられている。そして、端子本体３１Ｂの外側の側縁には、側板部３５の一部領域を接触部３２Ｂと反対側へ切り起こすことにより、第２保持部３４Ｂとほぼ対称形状をなす第１保持部３３Ｂが設けられている。第１保持部３３Ｂは、第２保持部３４Ｂと同様に断面鉤型をなすとともに、その先端部３３Ｂｂが端子本体３１Ｂの板面と所定の間隔を空けた位置で対向して配される。これに対応して、バスバー４０ＢのＬＥＤ被着部４１Ｂにおける保持溝部４４Ｂは、第１保持部３３Ｂの先端部３３Ｂｂを通すことが可能な幅の幅広部４４Ｂａと、第１保持部３３Ｂの根元部分３３Ｂａを通すことが可能な幅の幅狭部４４Ｂｂとにより構成される。側板部３５のうち第１保持部３３Ｂによる切り起し部分の上下位置には、片持ち状をなす係止片３６が一対切り起こして形成されている。
【００４４】
ソケット７０は、合成樹脂製とされ、全体として横長な略ブロック状に形成されている。ソケット７０のうち前面から側面にわたる領域には、ＬＥＤ１０に一対の接続端子３０Ｂを装着したものが取付可能とされる被取付部７１が凹み形成されている。被取付部７１は、リード端子１３や接触部３２Ｂや側板部３５を収容できるような形状とされている。また両被取付部７１間の相対的に前方へ突出した部分によりＬＥＤ１０のベース部１１を受けることが可能とされる。被取付部７１における両側面には、側板部３５の係止片３６が係止可能とされる係止溝７２が一対、後方へ開放する形態でそれぞれ形成されている。被取付部７１における前面の下端部には、嵌合部７３が前方へ突出して設けられている。これに対応して、バスバー４０ＢのＬＥＤ被着部４１Ｂには、嵌合部７３を嵌合可能な嵌合孔４８が貫通して形成されている。
【００４５】
図９（Ｂ）に示すように、ＬＥＤ１０の両リード端子１３に接続端子３０Ｂをそれぞれ装着したら、それをソケット７０に取り付ける作業を行う。ＬＥＤ１０及び接続端子３０Ｂをソケット７０へ向けて押し込むと、リード端子１３や接触部３２Ｂや側板部３５が被取付部７１内に収容されるとともに、両係止片３６が一旦弾性変形した後、係止溝７２内に進入すると復元して係止溝７２の前縁部に対して係止される。これにより、図９（Ｃ）に示すように、ＬＥＤ１０及び接続端子３０Ｂがソケット７０に対して取付状態に保持される。
【００４６】
続いて、ＬＥＤ１０及び接続端子３０Ｂを保持したソケット７０をバスバー４０Ｂに対して取り付ける作業を行う。ソケット７０の上下両面または横方向の両側面を把持しつつ、ソケット７０をバスバー４０Ｂの裏側から押し込むと、第１保持部３３Ｂが保持溝部４４Ｂの幅広部４４Ｂａを通るとともに第２保持部３４Ｂが切欠部４７Ｂを通って、それぞれの先端部３３Ｂｂ，３４Ｂｂがバスバー４０Ｂの表側に突出する。その後、ソケット７０を下方へスライドさせると、図９（Ｄ）に示すように、端子本体３１Ｂと両保持部３３Ｂ，３４Ｂの先端部３３Ｂｂ，３４Ｂｂとの間でバスバー４０Ｂが挟まれることで、接続端子３０Ｂがバスバー４０Ｂに対して保持される。これと同時にソケット７０の嵌合部７３が嵌合孔４８内に嵌合されるとともに、嵌合部７３の周面が嵌合孔４８の周縁に係止することで、ソケット７０がバスバー４０Ｂに対して上下方向及び横方向について位置決め状態で保持される。またこのとき第１保持部３３Ｂの根元部分３３Ｂａは、保持溝部４４Ｂの幅狭部４４Ｂｂに、第２保持部３４Ｂの根元部分３４Ｂａは、逃がし部４３Ｂにそれぞれ逃がされている。
【００４７】
このように本実施形態によれば、ソケット７０によりＬＥＤ１０及び接続端子３０Ｂをバスバー４０Ｂに対して一括して組み付けることができるので、作業性が良好なものとなる。特にＬＥＤ１０が小型のものでは有効である。
【００４８】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記した各実施形態では、バスバーが反射部材を介して間接的にランプボディに固定される場合を示したが、バスバーをランプボディに直接固定するようにしたものも本発明に含まれる。また、バスバーをランプボディに固定されるレンズに取り付けるようにしたり、その他の部品に取り付けるようにしても構わない。
【００４９】
（２）上記した各実施形態では、ＬＥＤが接続端子を介してバスバーに装着されるものを示したが、ＬＥＤがバスバーに直接保持されるようにしたものも本発明に含まれる。
（３）上記した各実施形態では、接続端子に保持部（第１保持部や第２保持部を含む）を形成した場合を示したが、逆にバスバー側に保持部を形成して、その保持部を接続端子に対して係止させるようにしてもよい。
【００５０】
（４）上記した各実施形態では、バスバーに保持部（第１保持部や第２保持部を含む）を通すための保持溝部や切欠部を形成した場合を示したが、保持溝部や切欠部を省略するようにしてもよい。その場合は、例えばバスバーの周縁部に保持部を引っ掛けることで、接続端子を保持するようにすればよい。
（５）上記した各実施形態では、接続端子をバスバーに保持させる保持手段として機械的な引っ掛け構造を採用した場合を示したが、その他の保持手段として例えば半田付けしたり、接着剤により接着してもよい。
【００５１】
（６）上記した実施形態では、ランプとしてＬＥＤを例示したが、ＬＥＤ以外にも例えば口金式バルブやウェッジベースバルブなどを用いたものも本発明に含まれる。
（７）ＬＥＤの配置や数については、任意に変更可能であり、それに応じてバスバーの形状や本数も変更することも可能である。また保持部（第１保持部や第２保持部を含む）や保持溝部や切欠部の形状や数についても任意に変更可能である。
【図面の簡単な説明】
【００５２】
【図１】本発明の実施形態１に係る車両用灯具の分解斜視図
【図２】ＬＥＤ及び接続端子を装着したバスバーの斜視図
【図３】ＬＥＤ及び接続端子を装着したバスバーの正面図
【図４】バスバーの裏側からＬＥＤ及び接続端子を装着する作業を表すもので、  （Ａ）分解状態を示す斜視図  （Ｂ）接続端子をＬＥＤに装着した状態を示す斜視図  （Ｃ）ＬＥＤ及び接続端子をバスバーに装着した状態を示す斜視図
【図５】バスバーの表側からＬＥＤ及び接続端子を装着する作業を表すもので、  （Ａ）分解状態を示す斜視図  （Ｂ）接続端子をＬＥＤに装着した状態を示す斜視図  （Ｃ）ＬＥＤ及び接続端子をバスバーに装着した状態を示す斜視図
【図６】ＬＥＤ及び接続端子を装着したバスバーを反射部材に取り付けた状態を示す斜視図
【図７】ＬＥＤ、接続端子及びバスバーを取り付けた反射部材とレンズをランプボディに固定した状態を示す斜視図
【図８】本発明の実施形態２に係る車両用灯具において、バスバーの裏側からＬＥＤ及び接続端子を装着する作業を表すもので、  （Ａ）分解状態を示す斜視図  （Ｂ）接続端子をＬＥＤに装着した状態を示す斜視図  （Ｃ）ＬＥＤ及び接続端子をバスバーに装着した状態を示す斜視図
【図９】本発明の実施形態３に係る車両灯具において、バスバーの裏側からＬＥＤ、接続端子及びホルダを装着する作業を表すもので、  （Ａ）分解状態を示す斜視図  （Ｂ）接続端子をＬＥＤに装着した状態を示す斜視図  （Ｃ）ＬＥＤ及び接続端子をホルダに装着した状態を示す斜視図  （Ｄ）ＬＥＤ、接続端子及びホルダをバスバーに装着した状態を示す斜視図
【符号の説明】
【００５３】
１…車両用灯具
１０…ＬＥＤ（ランプ）
１３…リード端子
２０…ランプボディ
３０，３０Ａ，３０Ｂ…接続端子
３３…保持部
３３Ａ，３３Ｂ…第１保持部（保持部）
３４，３４Ｂ…第２保持部（保持部）
４０，４０Ａ，４０Ｂ…バスバー
５０…反射部材
５２…孔部
７０…ソケット
【図１】
2006260835.tif 000003
【図２】
2006260835.tif 000004
【図３】
2006260835.tif 000005
【図４】
2006260835.tif 000006
【図５】
2006260835.tif 000007
【図６】
2006260835.tif 000008
【図７】
2006260835.tif 000009
【図８】
2006260835.tif 000010
【図９】
2006260835.tif 000011